(57)【要約】【課題】機械での組立性に優れ、内容物の移動を確実に阻止して、内容物を保護できる支持片付き包装体を提供する。【解決手段】底壁１の両側から対向する側壁２を起立させ、底壁１と側壁２とに斜めに亘る片持ちヒンジ型の支持片７を設けた支持片付き包装体において、前記支持片７は、側壁２から底壁１へかけて切り込むことにより、側壁２に基端のヒンジ線７ａが位置するように形成し、側壁２の裏面に、支持片７のヒンジ線７ａに臨む段潰し部８を設け、底壁１からの側壁２の起立に伴い、起き上がらせた支持片７の先端が底壁１上を滑り、対向する支持片７の先端同士が突き合わされ、支持片７の先端が底壁１に設けた係合穴９に嵌まり込んで、支持片７の揺動が防止されるようにする。また、底壁１と端壁４とに亘る２本の切目間に形成した両端固定型の支持帯１０を逆折線１０ａに沿って内側へ屈曲させる。【選択図】図３
2009120248.tif 000002
【特許請求の範囲】
【請求項１】
底壁(1)の両側から対向する側壁(2)を起立させ、底壁(1)と側壁(2)とに斜めに亘る片持ちヒンジ型の支持片(7)を設けた支持片付き包装体において、前記支持片(7)は、側壁(2)から底壁(1)へかけて切り込むことにより、側壁(2)に基端のヒンジ線(7a)が位置するように形成し、底壁(1)からの側壁(2)の起立に伴い、起き上がらせた支持片(7)の先端が底壁(1)上を滑り、対向する支持片(7)の先端同士が突き合わされるようにしたことを特徴とする支持片付き包装体。
【請求項２】
前記側壁(2)の裏面に、支持片(7)のヒンジ線(7a)に臨む部分で材料の段ボールを厚さ方向に押し潰すことにより、段潰し部(8)を設けたことを特徴とする請求項１に記載の支持片付き包装体。
【請求項３】
前記支持片(7)の先端が底壁(1)に設けた係合穴(9)に嵌まり込むようにしたことを特徴とする請求項１又は２に記載の支持片付き包装体。
【請求項４】
前記底壁(1)の両端に端壁(4)を連設し、底壁(1)と端壁(4)とに亘る２本の切目間に両端固定型の支持帯(10)を形成し、この支持帯(10)の中間に逆折線(10a)を入れ、底壁(1)からの端壁(4)の起立に伴い、支持帯(10)を逆折線(10a)に沿って内側へ屈曲させたことを特徴とする請求項１乃至３のいずれか１項に記載の支持片付き包装体。
【発明の詳細な説明】
【技術分野】
【０００１】
この発明は、飲料や食品のカップ等を保持する支持片付き包装体に関するものである。
【背景技術】
【０００２】
例えば、飲料や食品のカップ等、上方が広がった商品の包装体として、下記特許文献１には、図８に示すように、底壁５１の両側に側壁５２を、両端に端壁５３を連設し、底壁５１から側壁５２へ切り込むことにより、底壁５１に基端のヒンジ線５４ａが位置する片持ちヒンジ型の支持片５４を形成したものが記載されている。
【０００３】
この包装体は、商品のカップＣを包装する際、包装機械を用いて、底壁５１から側壁５２を対向するように起立させ、これに伴い、支持片５４の先端が側壁５２の裏面に沿って滑り、支持片５４が底壁５１と側壁５２とに斜めに亘るようにし、この支持片５４によりカップＣの移動を阻止しようとするものである。
【０００４】
【特許文献１】特開２００５−１８７０４１号公報
【発明の開示】
【発明が解決しようとする課題】
【０００５】
しかしながら、上記のような包装体では、組み立てに際し、支持片の先端が側壁に突き当たって引っ掛かり、支持片の立ち上がり不良が発生することがある。
【０００６】
また、輸送中に端壁の外側から大きな衝撃が作用すると、支持片がヒンジ線で軸振れするように揺動し、一端のカップに同列の他のカップの移動荷重が集中して、一端のカップが端壁に強く押し付けられ、変形するおそれがある。
【０００７】
そこで、この発明は、機械での組立性に優れ、内容物の移動を確実に阻止して、内容物を保護できる支持片付き包装体を提供することを課題とする。
【課題を解決するための手段】
【０００８】
上記課題を解決するため、この発明では、底壁の両側から対向する側壁を起立させ、底壁と側壁とに斜めに亘る片持ちヒンジ型の支持片を設けた支持片付き包装体において、前記支持片は、側壁から底壁へかけて切り込むことにより、側壁に基端のヒンジ線が位置するように形成し、底壁からの側壁の起立に伴い、起き上がらせた支持片の先端が底壁上を滑り、対向する支持片の先端同士が突き合わされて、支持片の揺動が防止されるようにしたのである。
【０００９】
また、前記側壁の裏面に、支持片のヒンジ線に臨む部分で材料の段ボールを厚さ方向に押し潰すことにより、段潰し部を設け、機械での組み立て時に、支持片が確実に起き上がるようにしたのである。
【００１０】
また、前記支持片の先端が底壁に設けた係合穴に嵌まり込むようにし、支持片の揺動が確実に防止されるようにしたのである。
【００１１】
さらに、前記底壁の両端に端壁を連設し、底壁と端壁とに亘る２本の切目間に両端固定型の支持帯を形成し、この支持帯の中間に逆折線を入れ、底壁からの端壁の起立に伴い、支持帯を逆折線に沿って内側へ屈曲させ、この支持帯により、内容物の端壁に沿った方向への移動が阻止されるようにしたのである。
【発明の効果】
【００１２】
この発明に係る包装体では、底壁から両側壁を起こすだけで、支持片の基端のヒンジ線の位置が上昇しつつ、先端が底壁上を滑ることから、支持片の立ち上がり不良等の問題が発生しにくく、機械により簡単かつ確実に組み立てることができる。
【００１３】
また、対向する支持片の先端同士が突き合わされて、支持片の軸振れするような揺動が防止されるので、内容物の移動を確実に阻止して、内容物を保護できる。
【発明を実施するための最良の形態】
【００１４】
以下、この発明の実施形態を添付図面に基づいて説明する。
【００１５】
図１に示すように、この包装体の段ボールブランクでは、底壁１の長手方向の両側に側壁２及び天壁３が順次連設され、底壁１の幅方向の両端に端壁４が連設されている。側壁２の両端には内端板５が、天壁３の両端には外端板６がそれぞれ連設されている。
【００１６】
また、側壁２から底壁１へかけて切り込むことにより、側壁２に基端のヒンジ線７ａが位置する片持ちヒンジ型の支持片７が形成され、支持片７の両側縁は、収納するカップの外周に対応して円弧状に凹入している。
【００１７】
側壁２の裏面には、ヒンジ線７ａに臨む部分で段ボールを厚さ方向に押し潰すことにより、段潰し部８が設けられている。底壁１には、対向する支持片７の中央部分に、係合穴９が設けられている。
【００１８】
さらに、底壁１と端壁４とに亘る２本の切目間に両端固定型の支持帯１０が形成され、この支持帯１０の中間に、段ボールを裏面側から厚さ方向に途中まで切り込んだ半切の逆折線１０ａが入れられている。
【００１９】
このようなブランクを組み立てるには、図２に示すように、包装機械の治具で支持片７の先端側を少し押し上げる。このとき、ヒンジ線７ａに臨む部分に段潰し部８が設けられているので、支持片７を大きな抵抗を受けることなく容易に起こすことができる。
【００２０】
次に、図３に示すように、底壁１から側壁２を起立させると、支持片７が起き上がって、その先端が底壁１上を滑り、図４に示すように、側壁２が直立した状態で、対向する支持片７の先端同士が突き合わされ、支持片７の先端部が係合穴９に嵌まり込む。
【００２１】
その後、図５に示すように、支持片７で区画された箱内に内容物であるカップＣを挿入し、内端板５を内側へ折り曲げ、端壁４を起立させると、支持帯１０が逆折線１０ａに沿って内側へ屈曲し、２列に並ぶカップＣの両端間に挿入される。
【００２２】
そして、図６及び図７に示すように、対向する天壁３を、先端が突き合わされるように内側へ折り曲げ、外端板６を下方へ折り曲げて、端壁４の外面に貼り合わせると、包装作業が完了する。
【００２３】
上記のような包装体では、組み立てに際し、段潰し部８により支持片７が確実に起き上がり、底壁１から両側壁２を起こすだけで、支持片７の基端のヒンジ線７ａの位置が上昇しつつ、先端が底壁１上を滑ることから、支持片７の立ち上がり不良等の問題が発生しにくく、機械により簡単かつ確実に組み立てることができる。
【００２４】
また、対向する支持片７の先端同士が突き合わされ、支持片７の先端が底壁１の係合穴９に嵌まり込んで、輸送時における支持片７の軸振れするような揺動が防止され、この支持片７と共に、両端の支持帯１０もカップＣを支持するので、カップＣの移動を確実に阻止することができ、カップＣを保護することができる。
【００２５】
なお、上記実施形態では、支持片７の両側縁を、カップの外周に対応して円弧状に凹入する形状としたが、支持片７の両側縁は、収納する物品に応じて、直線状や波状とするなど、適宜の形状とすればよい。
【００２６】
また、包装体の全体形状を、各稜部が角張った直方体としたが、包装体の全体形状は、取扱性向上等のため、側壁２と内端板５の稜部や底壁１と側壁２の稜部に面取状の傾斜壁を設けた多面体としてもよい。
【００２７】
さらに、端壁４の内面に内端板５が重なるものとしたが、側壁２からの延長部を端壁４の外側に重ねて係止するものとしてもよく、天壁３や外端板６を省略し、天面が開口したトレー状としてもよい。
【００２８】
そのほか、上記のような箱に代えて、複数枚の底壁１を２枚ずつ背中合わせにした側壁２を介して連結した蛇腹状の仕切材とし、これを別体の外箱に挿入して、商品を４列や６列等の多列に収納した状態で保持するようにしてもよい。
【図面の簡単な説明】
【００２９】
【図１】この発明に係る支持片付き包装体のブランクを示す裏面図
【図２】同上の支持片の先端を押し上げた状態を示す斜視図
【図３】同上の側壁の起立過程を示す斜視図
【図４】同上の側壁を直立させた状態を示す斜視図
【図５】同上の端壁を直立させた状態を示す斜視図
【図６】同上の組立状態を示す斜視図
【図７】同上の縦断側面図
【図８】従来の支持片付き包装体の組立状態を示す斜視図
【符号の説明】
【００３０】
１  底壁
２  側壁
３  天壁
４  端壁
５  内端板
６  外端板
７  支持片
７ａ  ヒンジ線
８  段潰し部
９  係合穴
１０  支持帯
１０ａ  逆折線
【図１】
2009120248.tif 000003
【図２】
2009120248.tif 000004
【図３】
2009120248.tif 000005
【図４】
2009120248.tif 000006
【図５】
2009120248.tif 000007
【図６】
2009120248.tif 000008
【図７】
2009120248.tif 000009
【図８】
2009120248.tif 000010